(57)【要約】      （修正有）【課題】外光を遮断するための蓋を有さず、かつカードをセットした状態で光が筐体内部に及ばないようなカードリーダー装置を提供する。【解決手段】規格化された所定の形状及び大きさのカードの表面に表示された情報の読み取りを行うためのカードリーダー装置１において、筐体４上部には透明体からなるカード載置プレート５が配置され、カード載置プレート５はカードの外周形状と相似しかつカードの外周形状より小さな外郭線でカードがセットされる領域Ｓを包囲する外光遮蔽部６を備える。【選択図】図１
0003231987.tif 000002
【実用新案登録請求の範囲】
【請求項１】
規格化された所定の形状及び大きさのカードの表面に表示された情報情報の読み取りを行うためのカードリーダー装置において、
筐体上部には透明体からなるカード載置プレートが配置され、前記カード載置プレートは前記カードの外周形状と相似しかつ前記カードの外周形状より小さな外郭線で前記カードがセットされる領域を包囲する外光遮蔽部を備えることを特徴とするカードリーダー装置。
【請求項２】
前記外光遮蔽部の前記外郭線は、前記カードが前記カード載置プレート上に読み取り可能にセットされた状態で前記カードの情報領域と干渉しない位置に形成されていることを特徴とする請求項１に記載のカードリーダー装置。
【請求項３】
前記カード載置プレートの周囲には前記カードを前記カード載置プレート上の所定の位置に配置させるためのガイド部材が形成されていることを特徴とする請求項１又は２に記載のカードリーダー装置。
【請求項４】
前記筐体内部の前記カード載置プレート近傍には光源が配設され、前記筐体内部の底位置には前記カードの前記情報を読み取るための撮像手段が配設されていることを特徴とする請求項１〜３のいずれかに記載のカードリーダー装置。
【請求項５】
前記カード載置プレートの裏面に反射した前記光源の光が前記撮像手段に直接入射しないように、前記カード載置プレートと前記光源の間には光源光遮蔽部材が配設されていることを特徴とする請求項４に記載のカードリーダー装置。
【考案の詳細な説明】
【技術分野】
【０００１】
本考案は、表面に情報が表示された規格化された所定の形状及び大きさのカードの、前記情報の読み取りを行うカードリーダー装置に関するものである。
【背景技術】
【０００２】
例えば、保険証や免許証のような規格化された所定の形状及び大きさのカードの文字情報を小型のカードリーダー装置を使って読み取りしたいという要請がある。具体的にはカードを載置する透明体からなるカード載置プレートを備え、カードの情報面が筐体の内側に向くようにカード載置プレート上にセットして、カメラで情報面を撮像してその撮像データを解析するというものである。
【先行技術文献】
【特許文献】
【０００３】
【特許文献１】特開２０１５−８０１７６号公報
【考案の概要】
【考案が解決しようとする課題】
【０００４】
しかし、セットしたカードの周囲から外光が筐体内部に及んでしまうとその光の影響でうまくカード情報が撮像できない可能性がある。例えば、特許文献１のような大型のスキャナー４０ではその図３にあるように対象書類を蓋部４５のようなカバーで覆ってしまうような構造とすることで外光を遮断できるが、小型のカードリーダー装置ではそのようなカバー構造を採用することは装置が大型化してしまい、またいちいちカバーを操作することになって面倒である。
そこで、外光を遮断するための蓋を有さず、かつカードをセットした状態で光が筐体内部に及ばないようなカードリーダー装置が求められていた。
【課題を解決するための手段】
【０００５】
上記の目的を達成するための第１の手段として、規格化された所定の形状及び大きさのカードの表面に表示された情報情報の読み取りを行うためのカードリーダー装置において、筐体上部には透明体からなるカード載置プレートが配置され、前記カード載置プレートは前記カードの外周形状と相似しかつ前記カードの外周形状より小さな外郭線で前記カードがセットされる領域を包囲する外光遮蔽部を備えるようにした。
これによって、カードがセットされる領域が外光を遮蔽する外光遮蔽部によって包囲され、外光遮蔽部によって包囲された領域はカードよりも小さくなるため、外光が筐体内に侵入することによってカードの情報取得に支障を来すことがない。
【０００６】
また、第２の手段として、前記外光遮蔽部の前記外郭線は、前記カードが前記カード載置プレート上に読み取り可能にセットされた状態で前記カードの情報領域と干渉しない位置に形成されているようにした。
これによって、情報はすべて情報取得可能な外光遮蔽部の内側に配置させることができるため、情報取得エラーがない。
また、第３の手段として、前記カード載置プレートの周囲には前記カードを前記カード載置プレート上の所定の位置に配置させるためのガイド部材が形成されているようにした。
これによって、カードをカード載置プレート上の情報の読み取りが可能な所定の位置に速やかにセットさせることができる。
また、第４の手段として、前記筐体内部の前記カード載置プレート近傍には光源が配設され、前記筐体内部の底位置には前記カードの前記情報を読み取るための撮像手段が配設されているようにした。
カード載置プレート近傍には光源が配設されているため、カード情報の読み取りに有利である。また、撮像手段が筐体内部の底位置にあって被写界深度を十分取れるため、撮像が歪みにくく正確にカード情報を取得することができる。
また、第５の手段として、前記カード載置プレートの裏面に反射した前記光源の光が前記撮像手段に直接入射しないように、前記カード載置プレートと前記光源の間には光源光遮蔽部材が配設されているようにした。
これによって光源からの直接光が撮像手段に入射することがなく、直接光による高輝度光によって画面が白く抜けてしまうという現象が防止され、カード情報の読み取りに支障を来すことがない。
【考案の効果】
【０００７】
本考案によれば、蓋を有していなくとも外光が筐体内に侵入することがなくなり、外光が筐体内に侵入しないためカードリーダー装置におけるカードの情報取得に支障を来すことがない。
【図面の簡単な説明】
【０００８】
【図１】実施の形態のカードリーダー装置の斜視図。
【図２】同じ実施の形態のカードリーダー装置のカード載置プレート上に（ａ）はカードをセットする直前の状態を説明する説明図、（ｂ）は所定の位置にカードをセットした状態を説明する説明図。
【図３】同じ実施の形態のカードリーダー装置の断面図。
【考案を実施するための形態】
【０００９】
以下、本考案の実施の形態であるカードリーダー装置の一例について図面に基づいて説明する。
図１に示すように、カードリーダー装置１は底カバー２と胴体カバー３とからなる上下に分割可能な筐体４を備えている。筐体４は組み立てられた状態で略直方体形状をなす。胴体カバー３の天井面には透明なアクリルガラスからなるカード載置プレート５が形成されている。図１及び図２に示すように、カード載置プレート５は長方形の外形形状とされている。カード載置プレート５は中央に長方形の透明な領域Ｓを残すようにその周囲に外光遮蔽部６が形成されている。外光遮蔽部６はガラス面に黒色の顔料で光が透過しないように印刷することで構成されている。カード載置プレート５上であって、外光遮蔽部６の短辺側前方位置と長辺側側方位置にはそれぞれ第１のガイド体６と第２のガイド体７が配設されている。第１のガイド体６と第２のガイド体７はそれぞれ直線状の縁８を有し、第１のガイド体６と第２のガイド体７の交差する縁８は直交して配置される。
【００１０】
図３に示すように、筐体４内部において底カバー２上にはカメラユニット１０を備えた撮像基板１１が配設されている。撮像基板１１の上部位置には鏡胴部１２が立設されている。鏡胴部１２の上部には上部フレーム１３が配設され、上部フレーム１３にはＬＥＤユニット１４が取り付けられている。上部フレーム１３にはＬＥＤユニット１４の発光制御をする図示しないＬＥＤ制御基板と、光源光遮蔽部材としての遮光プレート１５が取り付けられている。
左右一対のＬＥＤユニット１４と遮光プレート１５は板状で長尺に構成されている。ＬＥＤユニット１４の上下幅に対して遮光プレート１５は１／４程度の上下幅とされている。図３に示すように、ＬＥＤユニット１４は設置状態で胴体カバー３の内壁面に隣接した位置であって、カード載置プレート５の近傍に長手方向が胴体カバー３の長手方向に沿うように配設されている。遮光プレート１５はＬＥＤユニット１４の内側であって、ＬＥＤユニット１４に沿って配設されている。
遮光プレート１５はＬＥＤユニット１４の上端からわずかに下がった位置に斜状に配置されている。遮光プレート１５はＬＥＤユニット１４の光の一部を遮ってカード載置プレート５方向にはＬＥＤユニット１４の光が直接入らないように機能する。
底カバー２にはカードリーダー装置１を操作する外部のパソコンに接続させるためのケーブル用の図示しないケーブルコネクタが形成されている。
【００１１】
次に、このようなカードリーダー装置１の使用方法について説明する。
図２（ａ）に示すように、カード載置プレート５の外光遮蔽部６に包囲されている透明な領域Ｓはちょうど保険証の表面に記載されたすべての文字情報を包囲できるような大きさ（５２ｍｍ×８３ｍｍ）で外光遮蔽部６に包囲されている。この大きさは保険証２１の大きさ（５３ｍｍ×８６ｍｍ）と相似といえる形状であり、かつ保険証２１よりもわずかに小さい。カードリーダー装置１はこの透明な領域Ｓの文字情報を読み取る。カードリーダー装置１の利用者は保険証２１の情報面をカード載置プレート５側に向けてカード載置プレート５上に載せ、第２のガイド体７に沿ってスライドさせる。そして、図２（ｂ）のように保険証２１の先端が第１のガイド体６に突き当たった状態でセットが完了する。このようにセットが完了した状態で外光遮蔽部６の内側の線（図２（ｂ）の隠れ線位置）は保険証２１の内側で、かつ保険証２１に表示されている情報よりも外側の位置に配置されることとなる。その状態で外部のパソコンを操作してＬＥＤユニット１４を発光させカメラユニット１０を起動させて保険証２１の情報を撮像する。
このように構成することで、本実施の形態のカードリーダー装置１では次のような効果が奏されることとなる。
（１）保険証２１をカード載置プレート５の所定の位置にセットするだけで、外光が遮蔽されて外光が筐体４内に侵入することがなくなる。また、その状態で保険証２１の情報が漏れなく取得できることとなる。
（２）第１のガイド体６と第２のガイド体７によって保険証２１を案内することができるため、利用者が自身で適切な位置にセットする必要がなく操作性がよい。
【００１２】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・上記カードリーダー装置１の形態は一例であり、他の形態で実施することも自由である。例えば、カード載置プレート５をアクリルガラス以外で構成したり、筐体４の形状や大きさを変更するようにしてもよい。外光遮蔽部６を黒色以外で着色してもよい。
・上記では一例として保険証２１をカードの例として挙げたが、他のカード、例えば免許証や会員証等で実現するようにしてもよい。カードの形状に応じて外光遮蔽部６の形状や包囲する領域の大きさは変更される。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００１３】
１…カードリーダー装置、５…カード載置プレート、６…外光遮蔽部。
【図１】
0003231987.tif 000003
【図２】
0003231987.tif 000004
【図３】
0003231987.tif 000005
【手続補正書】
【提出日】令和3年3月12日(2021.3.12)
【手続補正１】
【補正対象書類名】実用新案登録請求の範囲
【補正対象項目名】全文
【補正方法】変更
【補正の内容】
【実用新案登録請求の範囲】
【請求項１】
規格化された所定の形状及び大きさのカードの表面に表示された情報の読み取りを行うためのカードリーダー装置において、
筐体の上部には透明体からなるカード載置プレートが配置され、前記カード載置プレートは前記カードの外周形状と相似しかつ前記カードの外周形状より小さな外郭線で前記カードがセットされる領域を包囲する外光遮蔽部を備えることを特徴とするカードリーダー装置。
【請求項２】
前記外光遮蔽部の前記外郭線は、前記カードが前記カード載置プレート上に読み取り可能にセットされた状態で前記カードの情報領域と干渉しない位置に形成されていることを特徴とする請求項１に記載のカードリーダー装置。
【請求項３】
前記カード載置プレートの周囲には前記カードを前記カード載置プレート上の所定の位置に配置させるためのガイド部材が形成されていることを特徴とする請求項１又は２に記載のカードリーダー装置。
【請求項４】
前記筐体の内部の前記カード載置プレート近傍には光源が配設され、前記筐体の内部の底位置には前記カードの前記情報を読み取るための撮像手段が配設されていることを特徴とする請求項１〜３のいずれかに記載のカードリーダー装置。
【請求項５】
前記カード載置プレートの裏面に反射した前記光源の光が前記撮像手段に直接入射しないように、前記カード載置プレートと前記光源の間には光源光遮蔽部材が配設されていることを特徴とする請求項４に記載のカードリーダー装置。
【手続補正２】
【補正対象書類名】明細書
【補正対象項目名】０００５
【補正方法】変更
【補正の内容】
【０００５】
上記の目的を達成するための第１の手段として、規格化された所定の形状及び大きさのカードの表面に表示された情報の読み取りを行うためのカードリーダー装置において、筐体の上部には透明体からなるカード載置プレートが配置され、前記カード載置プレートは前記カードの外周形状と相似しかつ前記カードの外周形状より小さな外郭線で前記カードがセットされる領域を包囲する外光遮蔽部を備えるようにした。
これによって、カードがセットされる領域が外光を遮蔽する外光遮蔽部によって包囲され、外光遮蔽部によって包囲された領域はカードよりも小さくなるため、外光が筐体内に侵入することによってカードの情報取得に支障を来すことがない。
【手続補正３】
【補正対象書類名】明細書
【補正対象項目名】０００６
【補正方法】変更
【補正の内容】
【０００６】
また、第２の手段として、前記外光遮蔽部の前記外郭線は、前記カードが前記カード載置プレート上に読み取り可能にセットされた状態で前記カードの情報領域と干渉しない位置に形成されているようにした。
これによって、情報はすべて情報取得可能な外光遮蔽部の内側に配置させることができるため、情報取得エラーがない。
また、第３の手段として、前記カード載置プレートの周囲には前記カードを前記カード載置プレート上の所定の位置に配置させるためのガイド部材が形成されているようにした。
これによって、カードをカード載置プレート上の情報の読み取りが可能な所定の位置に速やかにセットさせることができる。
また、第４の手段として、前記筐体の内部の前記カード載置プレート近傍には光源が配設され、前記筐体の内部の底位置には前記カードの前記情報を読み取るための撮像手段が配設されているようにした。
カード載置プレート近傍には光源が配設されているため、カード情報の読み取りに有利である。また、撮像手段が筐体内部の底位置にあって被写界深度を十分取れるため、撮像が歪みにくく正確にカード情報を取得することができる。
また、第５の手段として、前記カード載置プレートの裏面に反射した前記光源の光が前記撮像手段に直接入射しないように、前記カード載置プレートと前記光源の間には光源光遮蔽部材が配設されているようにした。
これによって光源からの直接光が撮像手段に入射することがなく、直接光による高輝度光によって画面が白く抜けてしまうという現象が防止され、カード情報の読み取りに支障を来すことがない。